(57)【要約】【課題】  重量物の積み卸し作業を容易にし得る、安価で且つ持ち運びが容易な治具およびジャッキアップ装置を提供する。【解決手段】  本考案に係るジャッキアップ用治具１Ａ，１Ｂの各々は、前面および背面を持つ本体１０と、本体１０の下部から背面側に突出する突起部１７と、本体１０の上部から前面側に延出しジャッキアップ用受部を有する延出部１１とを備えている。突起部１７は、コンテナの取付孔に掛合する。【選択図】    図１
0003107131.tif 000002
【実用新案登録請求の範囲】
【請求項１】
コンテナに取り付けられるジャッキアップ用治具であって、
前面および背面を持つ本体と、
前記本体下部から背面側に突出する突起部と、
前記本体上部から前面側に延出しジャッキアップ用受部を有する延出部と、を備え、
前記突起部は、前記コンテナの取付孔に掛合することを特徴とするジャッキアップ用治具。
【請求項２】
請求項１記載のジャッキアップ用治具であって、前記突起部は、前記本体の重心よりも下方の位置から突出し、且つ、前記延出部は、前記本体の重心よりも上方の位置から延出していることを特徴とするジャッキアップ用治具。
【請求項３】
請求項１または２記載のジャッキアップ用治具であって、
前記突起部は、
前記本体から突出する接続部と、
前記接続部先端から突出し前記本体の背面方向に非円形断面を有する掛合部と、
からなることを特徴とするジャッキアップ用治具。
【請求項４】
請求項３記載のジャッキアップ用治具であって、
前記コンテナの取付孔は、当該コンテナの内側に向く内壁を有し、
前記掛合部は、前記本体が前記コンテナに対して起立姿勢以外の所定姿勢にあるときは前記取付孔に挿入可能であり、且つ、前記本体が前記コンテナに対して起立姿勢にあるときには前記内壁に掛合する形状を有する、ことを特徴とするジャッキアップ用治具。
【請求項５】
請求項１から４のうちのいずれか１項に記載のジャッキアップ用治具と、前記ジャッキアップ用受部をジャッキアップするジャッキと、からなることを特徴とするジャッキアップ装置。
【請求項６】
請求項５記載のジャッキアップ装置であって、前記ジャッキが載置される架台をさらに備えることを特徴とするジャッキアップ装置。
【考案の詳細な説明】
【技術分野】
【０００１】
本考案は、コンテナに重量物などの貨物を積み込む際、もしくはコンテナから貨物を卸す際に、コンテナの高さ位置を固定する技術に関する。
【背景技術】
【０００２】
コンテナを使用した貨物輸送の場合は、数〜数十トンもの重量物などの貨物がコンテナに積み込まれ、またはコンテナから搬出される。このとき、たとえば、フォークリフトを用いて貨物の積み卸しをしたり、または、プラットフォーム上に載置した貨物をコンテナ内に滑り入れる、もしくはコンテナからプラットフォーム上に滑り出すことが行われている。
【０００３】
しかしながら、たとえば、トラックや鉄道車両に積載されたコンテナへ貨物を積み込む場合、コンテナは、積み込まれた重量物の荷重を受けると沈み込むため、コンテナにおける貨物の載置面と、フォークリフトまたはプラットフォームなどの載置面とがずれてスムーズな積み込み作業ができないという問題があった。コンテナから貨物を卸す際も、貨物の荷重から解放されたコンテナが上昇するため、前述の問題が起こり得る。
【０００４】
かかる問題を解決するには、コンテナの載置面のレベルを固定する装置を用いればよいが、この種の装置は、非常に高価で且つ容易に持ち運ぶことが難しい。たとえば、第１国（日本）において、前記装置を用いてコンテナ内に貨物を積み込み、これを第２国へ輸送した場合、第２国に前記装置が用意されているとは限らず、コンテナから貨物を搬出する作業が困難になるという問題がある。
【考案の開示】
【考案が解決しようとする課題】
【０００５】
以上に鑑みて本考案の目的は、重量物の積み卸し作業を容易にし得る、安価で且つ持ち運びが容易なジャッキアップ用治具およびジャッキアップ装置を提供することである。
【課題を解決するための手段】
【０００６】
前記目的を達成するために、本考案は、コンテナに取り付けられるジャッキアップ用治具であって、前面および背面を持つ本体と、前記本体下部から背面側に突出する突起部と、前記本体上部から前面側に延出しジャッキアップ用受部を有する延出部と、を備え、前記突起部は、前記コンテナの取付孔に掛合することを特徴としている。
【０００７】
他の考案は、ジャッキアップ装置であり、前記ジャッキアップ用治具と、前記ジャッキアップ用受部をジャッキアップするジャッキとからなることを特徴としている。
【考案を実施するための最良の形態】
【０００８】
図１は、本考案に係る実施例の一対のジャッキアップ用治具１Ａ，１Ｂを概略的に示す斜視図である。ジャッキアップ用治具１Ａ，１Ｂのうちの一方は他方と同じ構成を有している。図２（Ａ）は、ジャッキアップ用治具１Ａまたは１Ｂの正面図であり、同図（Ｂ）は、同図（Ａ）に示した治具１Ａまたは１Ｂの左側面図である。
【０００９】
治具１Ａ，１Ｂは、ともに、前面１０ｆおよび背面１０ｒを持つ板状の本体１０を有し、この本体１０の下部から背面側に突出する突起部１７と、本体１０の上部から前面側に延出する上部板（延出部）１１とを有している。上部板１１は、ジャッキのロッド（図示せず）を受ける環状のジャッキアップ用受部１４を有している。突起部１７は、本体１０の背面１０ｒから突出し略円形断面を持つ接続部１５と、この接続部１５の先端から突出して本体１０の背面方向（背面に沿った方向）に非円形断面を有する掛合部１６とで構成されている。本実施例では、掛合部１６は略長円形の断面を有するが、これに限定されるものではない。また、本実施例では、本体１０，突起部１７および上部板１１には強度を確保する観点から鋼板が用いられており、突起部１７および上部板１１は、溶接などにより本体１０に固定されている。さらに、上部板１１の本体１０への固定を補強するために補強板１２，１３が本体１０と上部板１１とに接合されている。
【００１０】
図２（Ａ）に示されるように、治具１Ａ，１Ｂの各々は、本体１０の中心軸線Ｃ１に関して左右方向に対称な構造を有している。図２（Ｂ）を参照すると、本体１０の重心は当該本体１０の略中央に位置し、突起部１７は、本体１０の重心よりも下方の位置から突出し、且つ上部板１１は、本体１０の重心よりも上方の端部から、前記突起部１７の突出方向とは逆方向へ延出している。このように、治具１Ａ，１Ｂは白矢印で示した方向へ回転し易い構造を有している。
【００１１】
図３および図４に、上記ジャッキアップ用治具１Ａ，１Ｂの使用形態を示す。図３（Ａ）は、トラックに載置されたコンテナ４０の背面図であり、図４は、図３に示したコンテナ４０の左側面図である。図３に示されるように、コンテナ４０の左右側面の後方下部には、それぞれ、ＩＳＯ（International Organization for Standards；国際標準化機構）規格やＪＩＳ（日本工業規格；Japanese Industrial Standards）で定められた形状を有する取付孔４１Ａ，４１Ｂが設けられている。これら取付孔４１Ａ，４１Ｂはコンテナ４０の右側方および左側方へそれぞれ開口している。治具１Ａ，１Ｂは、それぞれ、取付孔４１Ａ，４１Ｂに突起部１７，１７を挿入し掛合することでコンテナ４０に取り付けられる。
【００１２】
一方の治具１Ａは、ジャッキ３０Ａによって下方から支持され、ジャッキ３０Ａは架台２０Ａ上に載置されており、他方の治具１Ｂは、ジャッキ３０Ｂによって下方から支持され、ジャッキ３０Ｂは架台２０Ｂ上に載置されている。架台２０Ａ，２０Ｂは、それぞれ、図３（Ｂ），（Ｃ）に示される板状の底部２２Ａ，２２Ｂを備える。架台本体２１Ａ，２１Ｂの側方下部には、三角形状の板状部材２３，２３，…が溶接などにより接合され、これら板状部材２３，２３，…に底部２２Ａ，２２Ｂが溶接などにより固定されている。
【００１３】
図４に示されるように、他方の架台２０Ｂには、架台本体２１Ｂから左右側方へそれぞれ突出するように棒状部材２４Ｂ，２６Ｂが溶接などにより固定されている。また、三角形状の板状部材２５Ｂが、架台本体２１Ｂと棒状部材２４Ｂとに接合され、三角形状の板状部材２７Ｂが、架台本体２１Ａと棒状部材２６Ｂとに接合されている。ジャッキアップ用治具１Ｂを使用する作業者は、これら棒状部材２４Ｂ，２６Ｂを取っ手として用いて架台２０Ｂを移動させることができる。一方の架台２０Ａも、架台２０Ｂと同様の構造を有する。
【００１４】
次に、図５〜図７を参照しつつ、上記ジャッキアップ用治具１Ａ，１Ｂのコンテナ４０への取付方法を説明する。図５は、この取付方法の一工程におけるコンテナ４０の左側面後方下部を示す図であり、図６（Ａ），（Ｂ），（Ｃ）は、コンテナ４０の背面右下部分の断面を工程毎に示す図であり、図６（Ｂ’），（Ｃ’）は、それぞれ図６（Ｂ），（Ｃ）に示したコンテナ４０の左側面後方下部を示す図である。図６（Ａ），（Ｂ），（Ｃ）では、取付孔４１Ｂ付近のみが断面で示されている。図５に示されるように、コンテナ４０には、当該コンテナ４０の外側に開口する取付孔４１Ｂが設けられている。この取付孔４１Ｂは、開口部付近でコンテナ４０の内側に向く内壁を有する。以下、治具１Ｂの取付方法について説明するが、他方の治具１Ａの取付方法も治具１Ｂのそれと同じであるため、その詳細な説明を省略する。
【００１５】
先ず、図５に示すように、治具１Ｂを水平方向に倒した横姿勢のままその掛合部１６を取付孔４１Ｂまで移動させた後、図６（Ａ），（Ｂ），（Ｂ’）に示すように、治具１Ｂの掛合部１６を取付孔４１Ｂに挿入する。治具１Ｂの掛合部１６は、コンテナ４０の取付孔４１Ｂの断面と略相似形で且つ取付孔４１Ｂよりも若干小さな長円形断面を有しており、治具１Ｂが横姿勢にあるときは掛合部１６を取付孔４１Ｂにスムーズに挿入することが可能である。
【００１６】
次に、図６（Ｂ），（Ｂ’）の白矢印で示すように、治具１Ｂを接続部１５の中心軸線回りに約９０°回転させて起立させる。この結果、図６（Ｃ），（Ｃ’）に示すように、治具１Ｂの上部板１１は鉛直方向上方に位置し、掛合部１６は取付孔４１Ｂに対して約９０°回転して位置する。このとき、図７に示されるように、掛合部１６の全長Ｌ２は、取付孔４１Ｂの開口部の横幅Ｌ１よりも大きいため、掛合部１６は取付孔４１Ｂの内壁に阻止されるため掛合部１６を取付孔４１Ｂから抜き出すことができない。
【００１７】
その後、作業者が治具１Ｂから手を離すと、図８に示されるように、治具１Ｂは、白矢印で示す方向へ少し傾斜し、治具全体の荷重が掛合部１６と取付孔４１Ａの内壁間に作用して掛合部１６と内壁間に摩擦力が発生する。これにより、作業者が治具１Ｂから手を離しても治具１Ｂの起立姿勢は安定し、治具１Ｂは回転せず、倒れない。
【００１８】
上記の通りに治具１Ｂをコンテナ４０に取り付けた後は、図９に示すように架台２０Ｂを治具１Ｂの下に配設し、この架台２０Ｂ上にジャッキ３０Ｂを載置する。そして、作業者は、ジャッキ３０Ｂのロッド３１を上昇させジャッキアップ用受部１４を押し上げることで、コンテナ４０の後方下部を所望位置までジャッキアップできる。このようにして、作業者は、図３に示される治具１Ａ，１Ｂを用いてコンテナ４０の左右後方下部をジャッキアップすることで、コンテナ４０の載置面のレベルをプラットフォーム５１（図４参照）の載置面のレベルに一致させ、貨物５０をコンテナ４０内に積み込む作業もしくは貨物５０をコンテナ４０から卸す作業を容易に行うことが可能になる。すなわち、重量物をコンテナ４０内に積み込むときにコンテナ４０が下方に沈むことを防止するため、事前にコンテナ４０をジャッキアップすることでコンテナ４０とプラットフォーム５１との両載置面のレベルを一致させることができる。また、重量物をコンテナ４０から搬出したときにコンテナ４０が当該重量物の荷重から解放されて上昇することを防止するため、事前にコンテナ４０をジャッキアップすることでコンテナ４０とプラットフォーム５１との両載置面のレベルを一致させることもできる。
【００１９】
前述の通り、治具１Ａ，１Ｂをコンテナ４０に取り付けた後は、掛合部１６，１６を通じて治具１Ａ，１Ｂの荷重がそれぞれ取付孔４１Ａ，４１Ｂの内壁に作用するため、治具１Ａ、１Ｂは若干外側に倒れた起立姿勢を維持することができ、横倒れが発生しない。したがって、本実施例のジャッキアップ用治具１Ａ，１Ｂは、比較的初心者でも簡単容易にコンテナ４０に取り付けることができ、比較的小型且つ軽量であるため持ち運びが容易な構造を有している。また、かかる構造により、治具１Ａ，１Ｂを低コストで製造することが可能である。
【００２０】
なお、上記実施例では、図６に示したように、治具１Ａ，１Ｂは、横姿勢でコンテナ４０の取付孔４１Ａ，４１Ｂに挿入された後、起立姿勢にされることでコンテナ４０に取り付けられる。このとき、治具１Ａ，１Ｂの突起部１７，１７が、取付孔４１Ａ，４１Ｂのコンテナ４０の内側に向く内壁に作用することで、治具１Ａ，１Ｂの横倒れが防止されるが、本考案は、そのような突起部１７に限定されるものではない。たとえば、作業者がジャッキアップ用治具を起立姿勢のままコンテナ４０の取付孔４１Ａ，４１Ｂに挿入しジャッキアップ用治具から手を離したとき、当該取付孔４１Ａ，４１Ｂの内壁のうち下方に向く内壁に掛合する突起部を採用してもよい。
【図面の簡単な説明】
【００２１】
【図１】本考案に係る実施例の一対のジャッキアップ用治具を概略的に示す斜視図である。
【図２】（Ａ）は、ジャッキアップ用治具の正面図であり、（Ｂ）は、（Ａ）に示したジャッキアップ用治具の左側面図である。
【図３】（Ａ）は、トラックに載置されたコンテナの背面図であり、（Ｂ），（Ｃ）は、架台の底部を示す図である。
【図４】図３に示したコンテナの左側面図である。
【図５】ジャッキアップ用治具のコンテナへの取付方法の一工程を示す図である。
【図６】（Ａ），（Ｂ），（Ｃ）は、コンテナの背面右下部分の断面を工程毎に示す図であり、（Ｂ’），（Ｃ’）は、それぞれ（Ｂ），（Ｃ）に示したコンテナの左側面後方下部を示す図である。
【図７】図６（Ｃ’）に示した治具の拡大図である。
【図８】コンテナに取り付けられたジャッキアップ用治具を示す図である。
【図９】ジャッキアップされているコンテナの左側面後方下部を示す図である。
【符号の説明】
【００２２】
１Ａ，１Ｂ  ジャッキアップ用治具
１１  上部板（延出部）
１４  ジャッキアップ用受部
１５  接続部
１６  掛合部
１７  突起部
２０Ａ，２０Ｂ  架台
３０Ａ，３０Ｂ  ジャッキ
【図１】
0003107131.tif 000003
【図２】
0003107131.tif 000004
【図３】
0003107131.tif 000005
【図４】
0003107131.tif 000006
【図５】
0003107131.tif 000007
【図６】
0003107131.tif 000008
【図７】
0003107131.tif 000009
【図８】
0003107131.tif 000010
【図９】
0003107131.tif 000011